(57)【要約】【課題】機体を円柱に連結することなく、機体の凹部に設けられたガイド部を円柱に当接させるのみで、円柱と略同心で且つ比較的に小径の円形状に路面を切断することができる抜柱用路面切断機を提供する。【解決手段】下部に複数のキャスタ１３を有する機体１と、機体１に取付けられた手押しハンドル１４と、機体１に搭載された昇降装置２により昇降する回転刃３とを備えた抜柱用路面切断機であって、機体１の一側部には路面に立設された円柱Ｔを受け入れる凹部１２が形成されていると共に、該凹部１２には前記円柱Ｔの外周面に沿って機体１を案内するガイド部４，５が設けられ、前記円柱Ｔの外周面にガイド部４，５を当接して機体１を移動させることにより、円柱Ｔと略同心で且つ比較的に小径の円形状に路面を切断することができるものである。【選択図】　　図２
2004036231.tif 000002
【特許請求の範囲】
【請求項１】
下部に複数のキャスタを有する機体と、機体に取付けられた手押しハンドルと、機体に搭載された昇降装置により昇降する回転刃とを備えた抜柱用路面切断機であって、機体の一側部には路面に立設された円柱を受け入れる凹部が形成されていると共に、該凹部には前記円柱の外周面に沿って機体を案内するガイド部が設けられ、前記円柱の外周面にガイド部を当接して機体を移動させることにより、円柱と略同心で且つ比較的に小径の円形状に路面を切断することができることを特徴とする抜柱用路面切断機。
【請求項２】
前記回転刃は、機体の一側部に形成されている前記凹部に対して機体の他側部に配設されていることを特徴とする請求項１に記載の抜柱用路面切断機。
【請求項３】
前記ガイド部は、前記円柱の周方向に間隔を置いて当接される一対のガイドローラにより構成されていることを特徴とする請求項１又は２に記載の抜柱用路面切断機。
【請求項４】
前記ガイド部は、前記円柱の周方向に間隔を置いて当接される前記凹部に対設されたガイド傾斜面により構成されていることを特徴とする請求項１又は２に記載の抜柱用路面切断機。
【発明の詳細な説明】
【０００１】
【発明の属する技術分野】
本発明は、路面に立設された円柱と略同心の円形状に路面を切断することができる抜柱用路面切断機に関し、詳しくは、機体を円柱に連結することなく、機体の凹部に設けられたガイド部を円柱に当接するのみで、円柱と略同心で且つ比較的に小径の円形状に路面を切断することができる抜柱用路面切断機に関するものである。
【０００２】
【従来の技術】
従来、この種の円柱状に形成された電柱の周囲の路面を同心状の円形状に切断する路面切断装置として、電柱ａの外周面にバンドｂを装着し、このバンドｂに対して周回自在に摺接させた外輪ｃと、路面切断車ｄとを回動アームｅによって連結して、路面切断車ｄを電柱ａの周囲を移動させることにより、路面切断車ｄに搭載された円盤状ブレードｆで電柱ａの周囲の路面を同心状の円形状に切断するものが知られている（特開昭５９−４７０５号公報参照）。
【０００３】
【発明が解決しようとする課題】
しかしながら、上記従来技術の路面切断装置においては、路面の切断作業にあたって、電柱ａに外輪ｃを取り付け、外輪ｃと路面切断車ｄとを回動アームｅによって連結しなければならず、また、路面の切断作業終了後には、外輪ｃ及び回動アームｅを取り外さなければならず、路面の切断作業に際して、外輪ｃ及び回動アームｅという連結具を要するばかりでなく、これら連結具の取り付け取り外しの面倒な作業が付随するという不都合があった。
【０００４】
また、路面切断車ｄは電柱ａに取り付けられた外輪ｃと回動アームｅによって連結されているものであるから、路面切断車ｄの円盤状ブレードｆにより路面が切断される円形状は、回動アームｅの長さと路面切断車ｄの車幅により規制され、電柱ａに対して小径の円形状を切断することが困難であり、しかも、切断する円形状を可能な限り小径にすべく、円盤状ブレードｆを路面切断車ｄの電柱ａ寄りに配設しても、電柱ａから路面切断車ｄの距離に変化はなく、電柱ａを中心として回動アームｅの長さに路面切断車ｄの車幅を加えた範囲内に縁石等の障害物がある場所では、路面の切断作業が不可能であるという不都合があった。
【０００５】
本発明は、上記従来技術における問題点を解決するもので、機体を円柱に連結することなく、機体の凹部に設けられたガイド部を円柱に当接させるのみで、円柱と略同心で且つ比較的に小径の円形状に路面を切断することができる抜柱用路面切断機を提供することを目的とするものである。
【０００６】
【課題を解決するための手段】
上記目的を達成するために、請求項１に係る発明は、下部に複数のキャスタを有する機体と、機体に取付けられた手押しハンドルと、機体に搭載された昇降装置により昇降する回転刃とを備えた抜柱用路面切断機であって、機体の一側部には路面に立設された円柱を受け入れる凹部が形成されていると共に、該凹部には前記円柱の外周面に沿って機体を案内するガイド部が設けられ、前記円柱の外周面にガイド部を当接して機体を移動させることにより、円柱と略同心で且つ比較的に小径の円形状に路面を切断することができるものである。
【０００７】
請求項１に係る発明によれば、手押しハンドルを押してキャスタにより機体を移動させると共に、回転刃を降下させて路面を回転刃により切断するのであるが、機体の一側部には路面に立設された円柱を受け入れる凹部が形成されていると共に、該凹部には前記円柱の外周面に沿って機体を案内するガイド部が設けられているから、路面に立設された円柱の周囲の路面を切断する抜柱作業においては、機体の一側部に形成されている凹部に円柱を受け入れ、凹部に設けられているガイド部を円柱の外周面に当接させて、ガイド部により円柱の外周面に沿って機体を案内しながら機体を移動させることができるので、路面を円柱と略同心の円形状に切断することができ、また、円柱を機体の凹部に受け入れて機体内に位置させることにより、円柱と切断刃との距離を縮小させることができるので、円柱に対して路面を比較的に小径の円形状に切断することができ、しかも、凹部に設けられているガイド部を円柱の外周面に当接させるのみで、機体を円柱に連結しないため、連結具の取り付け取り外しの面倒な作業が付随することがなく、抜柱作業の能率アップに寄与することができる。
【０００８】
請求項２に係る発明は、請求項１に記載された発明において、回転刃は、機体の一側部に形成されている前記凹部に対して機体の他側部に配設されているものである。
【０００９】
請求項２に係る発明によれば、機体に搭載された昇降装置により昇降する回転刃は、機体の一側部に形成されている凹部に対して機体の他側部に配設されているから、円柱を機体の一側部に形成されている凹部に受け入れて機体内に位置させることと相俟って、機体の他側部に凹部に対して配設されている回転刃の移動軌跡円を比較的に小径にすることができると共に、回転刃の移動軌跡円を機体外郭部の移動軌跡円と略同程度に設定することができるので、円柱の近傍に縁石等の障害物がある場所でも、機体が邪魔になることなく、障害物に接近した路面を円柱と略同心の円形状に切断することができる。
【００１０】
請求項３に係る発明は、請求項１又は２に記載された発明において、ガイド部は、前記円柱の周方向に間隔を置いて当接される一対のガイドローラにより構成されているものである。
【００１１】
請求項３に係る発明によれば、凹部に設けられて円柱の外周面に沿って機体を案内するガイド部は、円柱の周方向に間隔を置いて当接される一対のガイドローラにより構成されているから、機体は一対のガイドローラにより円柱の外周面に対して２点で当接するので、機体を径の異なる円柱に案内することができ、しかも、ガイドローラによる回転を伴う当接により、機体を円柱に滑らかに案内することができるので、路面を円柱と略同心の円形状に精度よく切断することができる。
【００１２】
請求項４に係る発明は、請求項１又は２に記載された発明において、ガイド部は、前記円柱の周方向に間隔を置いて当接される前記凹部に対設されたガイド傾斜面により構成されているものである。
【００１３】
請求項４に係る発明によれば、凹部に設けられて円柱の外周面に沿って機体を案内するガイド部は、円柱の周方向に間隔を置いて当接される凹部に対設されたガイド傾斜面により構成されているから、機体は凹部に対設されたガイド傾斜面により円柱の径に対応した２点で当接するので、機体を径の異なる円柱に対して同一当接条件により案内することができ、しかも、凹部に対設されたガイド傾斜面を機体の隅角に対向して一体に構成することができるので、対設されたガイド傾斜面により機体を補強することもできる。
【００１４】
【発明の実施の形態】
以下、本発明の実施の形態を図に基づいて説明するが、本発明は、機体の一側部に形成された凹部へ路面に立設された円柱を受け入れ機体を移動させる移動手段と、該移動手段により機体を移動させながら円柱の周囲の路面を切断する切断手段とを備えた抜柱用路面切断機であり、この抜柱用路面切断機で路面を円柱と略同心で且つ比較的に小径の円形状に切断して抜柱作業を行うものである。図１及び図２は、抜柱用路面切断機における前記凹部に設けられている円柱の外周面に沿って機体を案内するガイド部の１例を示す第一実施例であり、また、図４は、同じく抜柱用路面切断機における凹部に設けられている円柱の外周面に沿って機体を案内するガイド部の他例を示す第二実施例であり、したがって、抜柱用路面切断機における凹部に設けられている円柱の外周面に沿って機体を案内するガイド部以外の構成である、機体を移動させる前記移動手段と路面を切断する前記切断手段とは、第一実施例と第二実施例とにおいて共通の構成を有するものである。
【００１５】
先ず、図１，図２及び図３を参照しながら、抜柱用路面切断機の機体を移動させる移動手段について説明する。１は抜柱用路面切断機の機体であり、機体１は外郭が略四角形に形成されており、機体本体１１の一側部に路面に立設された円柱Ｔを受け入れるための凹部１２が形成され、平面視で略コ字状に形成されている。この機体１の外郭における四隅には下部にキャスタ１３が設けられ、該各キャスタ１３は、凹部１２に円柱Ｔを受け入れた際に円柱Ｔを包囲するように配設されている。また、機体１の前部側における機体本体１１の近傍部には手押しハンドル１４が取付けられていると共に、該手押しハンドル１４は機体１の後部側に傾斜している。さらに、機体１の後部側における機体本体１１の近傍部にはペダル１５が固定されている。
【００１６】
抜柱用路面切断機の機体１を移動させる移動手段は上記のように構成されており、作業者は、機体１の後方から手押しハンドル１４で機体１の移動方向を操縦しながらペダル１５を足で押してキャスタ１３により機体１を自在に移動させることができる。
【００１７】
次に、図１，図２及び図３を参照しながら、上記した移動手段により機体１を移動させつつ円柱Ｔの周囲の路面を切断する切断手段について説明する。切断手段は、機体１における機体本体１１の前後方向の略中央部に搭載されている昇降装置２と、昇降装置２により昇降される回転刃３とからなり、昇降装置２は、昇降装置本体２１に回動自在に立設された昇降ハンドル２２を有する回動ねじ２３と、回動ねじ２３に昇降ねじ２４により螺着され且つ昇降装置本体２１に案内されて昇降する傾斜取付台２５とからなり、回転刃３は、皿状に形成されていると共に、駆動源であるモータ３１により駆動され、モータ３１は取付けブラケット３２及び取付けバンド３３により傾斜取付台２５に取付けられている。また、傾斜取付台２５は、機体本体１１の一側部に形成されている凹部１２に対して機体本体１１の他側部に配設されていると共に、傾斜取付台２５の取付面は外方へ下降傾斜する傾斜面に形成されている。さらに、モータ３１を傾斜取付台２５に取付けるにあたっては、皿状に形成されている回転刃３の凸面が機体１に対して外方に位置し、且つ回転刃３の縦断面形状における下半部が略垂直状を呈するように取付けられる。なお、符号３４は回転刃３の周辺部を包囲する防塵カバーであり、符号３５は集塵機であり、防塵カバー３４と集塵機３５とを図示しないフレキシブルホースで連通することにより、回転刃３による切断粉塵の飛散を防止するものである。
【００１８】
抜柱用路面切断機の機体１を移動させながら円柱Ｔの周囲の路面を切断する切断手段は上記のように構成されており、作業者は、モータ３１により回転刃３を駆動させた状態で、昇降ハンドル２２を回動させることにより回転刃３を降下させて路面を切断するのであるが、と同時に、手押しハンドル１４で操縦をしながらペダル１５を足で押して機体１を移動させると、皿状に形成されている回転刃３は、凸面が機体１に対して外方に位置し、且つ回転刃３の縦断面形状における下半部が略垂直状を呈するように取付けられているから、回転刃３により路面を略垂直状に切断することができると共に、回転刃３は皿状に形成されている凸面により摺接抵抗を受け、この回転刃３の摺接抵抗により機体１を回転刃３の凸面と反対側へ回動指向させながら、路面を円弧状に切断することができる。
【００１９】
次に、図１及び図２を参照しながら、抜柱用路面切断機における凹部１２に設けられている円柱Ｔの外周面に沿って機体１を案内するガイド部の第一実施例について説明する。ガイド部は、円柱Ｔの周方向に間隔を置いて当接される一対のガイドローラ４，４により構成されており、一対のガイドローラ４，４は、機体本体１１の凹部１２側の側面に機体１の移動方向に間隔を置いて取付けブラケット４１により取り付けられている。これにより、機体１は一対のガイドローラ４，４により円柱Ｔの外周面に２点で当接するので、機体１を径の異なる円柱Ｔに案内することができ、しかも、ガイドローラ４による回転を伴う当接により、機体１を円柱Ｔに滑らかに案内することができるので、路面を円柱Ｔと略同心の円形状に精度よく切断することができる。
【００２０】
次に、図４を参照しながら、抜柱用路面切断機における凹部１２に設けられている円柱Ｔの外周面に沿って機体１を案内するガイド部の第二実施例について説明する。ガイド部は、円柱Ｔの外周面に間隔を置いて当接する凹部１２に対設されたガイド傾斜面５，５により構成されている。これにより、機体１は凹部１２に対設されたガイド傾斜面５，５により円柱Ｔの径に対応した２点で当接するので、機体１を径の異なる円柱Ｔに対して同一当接条件により案内することができ、しかも、凹部１２に対設されたガイド傾斜面５，５を機体１の隅角に対向して一体に構成することができるので、対設されたガイド傾斜面５，５により機体１を補強することもできる。
【００２１】
また、本発明においては、機体１に搭載された昇降装置２により昇降する回転刃３は、機体１の一側部に形成されている凹部１２に対して機体１の他側部に配設されている。これにより、円柱Ｔを機体１の一側部に形成されている凹部１２に受け入れて機体１内に位置させることと相俟って、機体１の他側部に凹部１２に対して配設されている回転刃３の移動軌跡円を比較的に小径にすることができると共に、回転刃３の移動軌跡円を機体１外郭部の移動軌跡円と略同程度に設定することができるので、円柱Ｔの近傍に縁石等の障害物がある場所でも、機体１が邪魔になることなく、障害物に接近した路面を円柱Ｔと略同心の円形状に切断することができる。
【００２２】
【発明の効果】
以上のように構成される本発明によると、路面に立設された円柱の周囲の路面を切断する抜柱作業においては、機体の一側部に形成されている凹部に円柱を受け入れ、凹部に設けられているガイド部を円柱の外周面に当接させて、ガイド部により円柱の外周面に沿って機体を案内しながら機体を移動させることができるので、路面を円柱と略同心の円形状に切断することができ、また、円柱を機体の凹部に受け入れて機体内に位置させることにより、円柱と切断刃との距離を縮小させることができるので、円柱に対して路面を小径の円形状に切断することができ、しかも、凹部に設けられているガイド部を円柱の外周面に当接させるのみで、機体を円柱に連結しないため、連結具の取り付け取り外しの面倒な作業が付随することがなく、抜柱作業の能率アップに寄与することができる。
【図面の簡単な説明】
【図１】本発明に係る抜柱用路面切断機の第一実施例の背面図である。
【図２】本発明に係る抜柱用路面切断機の第一実施例の平面図である。
【図３】本発明に係る抜柱用路面切断機の第一実施例の側面図である。
【図４】本発明に係る抜柱用路面切断機における機体の第二実施例の平面図である。
【図５】従来技術の説明図である。
【符号の説明】
１　…機体
１２…凹部
１３…キャスタ
１４…手押しハンドル
２　…昇降装置
３　…回転刃
４　…ガイド部としてのガイドローラ
５　…ガイド部としてのガイド傾斜面
Ｔ　…円柱
【図１】
2004036231.tif 000003
【図２】
2004036231.tif 000004
【図３】
2004036231.tif 000005
【図４】
2004036231.tif 000006
【図５】
2004036231.tif 000007